(57)【要約】【課題】  例えば携帯型のデータ端末機などにおいて、待ち受け時などにおいて消費電力を低減させることができる表示パネルを備えた電子機器を提供すること。【解決手段】  ディスプレイモジュールＡには、ドライバ部２および表示制御部Ｂが搭載されており、表示制御部Ｂからの画像信号によって、ＥＬディスプレイ１が発光駆動される。表示制御部Ｂにおける画像生成部５は、キー入力などの操作が一定時間なされない待ち受け状態において、時刻を示す静止画をスクロール表示する画像信号を生成する。この場合、一つの静止画のスクロール表示の終了から次の静止画のスクロール表示の開始の間に、前記静止画が表示パネルに表示されない無表示期間が設定される。この無表示期間においては、特にドライバ部２を駆動するクロック信号発生部３からのクロック信号の供給が停止され、この間において消費される電力を低減させるように動作する。【選択図】  図１
2006030566.tif 000002
【特許請求の範囲】
【請求項１】
文字や記号、もしくは絵などの情報を表示する表示パネルを備えた電子機器であって、前記表示パネルに静止画情報がスクロール制御されて表示されるスクロールモードにおいて、一つの静止画情報のスクロール表示の終了から次の静止画情報のスクロール表示の開始の間に、前記静止画情報が表示パネルに表示されない無表示期間が設定されるように構成されると共に、前記無表示期間において前記静止画情報の書き換え動作が実行されるように構成したことを特徴とする表示パネルを備えた電子機器。
【請求項２】
前記表示パネルの表示制御を実行する表示制御部は、クロック周波数が互いに異なる第１のクロック信号および第２のクロック信号に基づいて制御できるように構成されると共に、前記無表示期間においては前記第１もしくは第２クロック信号のうち、高い周波数のクロック信号の入力が停止されるスリープモードに設定されるように構成したことを特徴とする請求項１に記載の表示パネルを備えた電子機器。
【請求項３】
前記第１もしくは第２のクロック信号のうち、低い周波数のクロック信号は、前記表示パネルが搭載されている電子機器側に搭載された時間計測に利用されるクロック信号であることを特徴とする請求項２に記載の表示パネルを備えた電子機器。
【請求項４】
前記高い周波数のクロック信号が第１のクロック信号であり、前記表示制御部に対する第１のクロック信号の入力を停止させるスリープモードの継続時間を、前記第２のクロック信号に基づいて設定することを特徴とする請求項２または請求項３に記載の表示パネルを備えた電子機器。
【請求項５】
前記表示パネルにスクロール制御されて表示される静止画情報は、時刻情報であることを特徴とする請求項１ないし請求項４のいずれか１項に記載の表示パネルを備えた電子機器。
【請求項６】
前記時刻情報は、時間計測に利用される前記第２のクロック信号に基づいて生成されることを特徴とする請求項５に記載の表示パネルを備えた電子機器。
【請求項７】
前記表示パネルは、少なくても一層以上の有機発光機能層を含む有機ＥＬ表示パネルであることを特徴とする請求項１ないし請求項６のいずれか１項に記載の表示パネルを備えた電子機器。
【発明の詳細な説明】
【技術分野】
【０００１】
この発明は、例えば携帯型のデータ端末機などに好適に採用され、待ち受け時などにおいて消費電力を低減させる機能を有する表示パネルを備えた電子機器に関する。
【背景技術】
【０００２】
例えば携帯用電話機、あるいは携帯型情報端末機（ＰＤＡ）などのように電力源としてバッテリーを利用する携帯型のデータ端末機が急速に普及している。この種のデータ端末機においては、キー入力などの操作が一定時間なされない待ち受け状態においては、これに搭載された表示パネルの機能を制限し、消費電力を低減させることで、バッテリーの利用時間を延ばす手段が、特許文献１に開示されている。
【特許文献１】特開平９−２６８３７号公報
【０００３】
また、前記した待ち受け時間中においては、メインクロック信号を停止させて、低い周波数のクロック信号を利用し、システム中の最低限の管理、および制御を実行することで同様にバッテリーの消費電力を低減させることが、特許文献２に開示されている。
【特許文献２】特開２０００−２４４３５１号公報
【０００４】
一方、前記した携帯型のデータ端末機においては、薄型かつ低消費電力を実現することができる表示パネルとして、従来より液晶表示パネルがその要求を満たすものとして多くの製品に採用されてきた。また、昨今においては自発光型素子であるという特質を生かした有機ＥＬ（エレクトロルミネッセンス）素子を用いた発光表示パネルが一部の製品に搭載され、これが従来の液晶表示パネルに代わる次世代の表示パネルとして注目されている。これはＥＬ素子の発光機能層に、良好な発光特性を期待することができる有機化合物を使用することによって、実用に耐えうる高効率化および長寿命化が進んだことも背景にある。
【０００５】
前記した有機ＥＬ素子は、基本的には透明基板上に例えばＩＴＯによる透明電極と、有機ＥＬ媒体と、金属電極とが順次積層されて形成される。そして、前記有機ＥＬ媒体は有機発光層の単一層、あるいは有機正孔輸送層と有機発光層からなる二層構造、または有機正孔輸送層と有機発光層および有機電子移送層からなる三層構造、さらにこれらの適切な層間に電子もしくは正孔の注入層を挿入した多層構造になされる場合もある。
【発明の開示】
【発明が解決しようとする課題】
【０００６】
ところで、前記した有機ＥＬ素子は、実発光時間の経過と共に有機発光層における発光輝度特性が低下することが知られており、したがって、長時間にわたり同一の静止画を表示した状態とした場合においては、いわゆる焼き付き現象が発生する。この様な焼き付き現象を防止させるには、例えば静止画情報をスクロール表示させる手段を好適に採用することができる。
【０００７】
そこで、この発明は、表示パネルに静止画情報がスクロール制御されて表示されるスクロールモードに設定された場合において、より消費電力を低減させることが可能な表示パネルを備えた電子機器を提供することを課題とするものである。
【課題を解決するための手段】
【０００８】
前記した課題を解決するためになされたこの発明にかかる表示パネルを備えた電子機器は、請求項１に記載のとおり、文字や記号、もしくは絵などの情報を表示する表示パネルを備えた電子機器であって、前記表示パネルに静止画情報がスクロール制御されて表示されるスクロールモードにおいて、一つの静止画情報のスクロール表示の終了から次の静止画情報のスクロール表示の開始の間に、前記静止画情報が表示パネルに表示されない無表示期間が設定されるように構成されると共に、前記無表示期間において前記静止画情報の書き換え動作が実行されるように構成した点に特徴を有する。
【発明を実施するための最良の形態】
【０００９】
以下、この発明にかかる表示パネルを備えた電子機器について、図１に示す実施の形態に基づいて説明する。図１に示す符号１はディスプレイモジュールＡにおける有機ＥＬディスプレイ（表示パネル）を示しており、これはドライバ部２によって発光制御がなされるように構成されている。前記ドライバ部２は、より詳しくは走査ドライバおよびデータドライバに分けることができ、これらは共にディスプレイモジュールＡに備えられた第１クロック発生部３からの第１クロック信号（ＣＬＫ１）に基づいて動作するように構成されている。
【００１０】
なお、前記した第１のクロック発生部３は、例えばＣＲ発振器により構成されており、この第１クロック発生部３において生成される第１クロック信号は、後述する第２クロック発生部において生成される第２クロック信号（ＣＬＫ２）に対して高い周波数になされている。この第１クロック信号（ＣＬＫ１）は、Ｃ−ＭＯＳ構成によるアナログスイッチ４を介してドライバ部２に供給されるように構成されており、このために前記アナログスイッチ４の出力側と基準電位点との間にはプルダウン抵抗Ｒ1 が接続されている。なお、第１クロック発生部３からの第１クロック信号は、後述する表示制御部Ｂにも前記アナログスイッチ４を介して供給されるように構成されている。
【００１１】
一方、表示制御部Ｂにおける画像生成部５より、前記ドライバ部２に対して画像信号が供給されるように構成されており、これにより前記したＥＬディスプレイ１は発光制御される。前記画像生成部５には、このディスプレイモジュールＡが搭載される電子機器Ｃ側に備えられたシステムＣＰＵ６より、前記したＥＬディスプレイ１において表示される画像データが供給されるように構成されている。
【００１２】
また、前記システムＣＰＵ６からは画像生成部５に対して、電子機器Ｃ側におけるキー入力などの操作が一定時間なされない待ち受け状態において、スクロールモードに移行させる指令信号、およびキー入力などの操作がなされた時にスクロールモードから、通常の表示モードに移行させる指令解除信号も供給されるように構成されている。
【００１３】
前記表示制御部Ｂには時計部７およびスリープカウンタ８が備えられており、この時計部７およびスリープカウンタ８には、電子機器Ｃ側に備えられた水晶発振器による第２クロック発生部９より第２クロック信号（ＣＬＫ２）が供給されるように構成されている。すなわち、第２のクロック発生部９からのクロック信号は、前記時計部７において時間計測に利用されると共に、スリープカウンタ８において後述するようにスリープモードの継続時間を設定するように利用される。
【００１４】
前記時計部７は、第２クロック発生部９からのクロック信号（ＣＬＫ２）に基づいて時間計測を実行し、後述するようにスクロールモードになされた場合において、前記した画像生成部５に対して時計データを供給し、前記画像生成部５において時刻を示す静止画情報を生成するようになされる。これにより、スクロールモードにおいて、時刻を示す静止画情報が前記したＥＬディスプレイ１においてスクロール表示されるように作用する。
【００１５】
一方、表示制御部Ｂにはスクロールカウンタ１０が備えられており、このスクロールカウンタ１０は前記した第１クロック発生部３からのクロック信号（ＣＬＫ１）によってカウント動作がなされるように作用する。このスクロールカウンタ１０は、スクロールモードになされた場合において、前記した時計データに基づいて画像生成部５において生成される時刻を示す静止画情報の文字数、換言すれば前記静止画情報が一度のスクロールに要する時間を管理するようになされる。
【００１６】
前記したスクロールカウンタ１０を含むスクロール動作については、後で詳細に説明するが、前記スクロールカウンタ１０は、前記第１クロック信号（ＣＬＫ１）を予め設定した値までカウントアップした時、カウンタリセット信号を前記スリープカウンタ８に供給するように構成されている。またスクロールカウンタ１０からのカウンタリセット信号は、ＳＲラッチ回路１１、すなわちセット／リセットフリップフロップ回路に供給され、このＳＲラッチ回路１１をリセットさせるように動作する。
【００１７】
これにより、ＳＲラッチ回路１１は前記したアナログスイッチ４をオフにするため、第１クロック発生部３からのクロック信号（ＣＬＫ１）の供給は停止されるようになされる。なお、この状態をスリープモードと称呼することにする。また、スクロールカウンタ１０からのカウンタリセット信号を受けたスリープカウンタ８は、第２クロック発生部９からの第２クロック信号（ＣＬＫ２）のカウントアップを開始し、第２クロック信号を予め設定した値までカウントアップした時、スリープカウンタ８はフラグ８ａを立てる制御、すなわちカウンタリセット信号を発生させる。
【００１８】
これにより、前記したスクロールカウンタ１０はリセットされると共に、前記ＳＲラッチ回路１１にはセット信号が供給される。したがって、アナログスイッチ４はオンになされ、前記したスリープ状態は解除されるように動作する。この時、スリープカウンタ８からのカウンタリセット信号は、前記画像生成部５に対して書き換え信号として供給され、時計部７からの時計データに基づく時刻を示す静止画情報の書き換え動作が実行できるように構成されている。
【００１９】
図２は、図１に示した構成のさらに詳しい動作フローを説明するものである。なお図２においては便宜上、（ａ）をスクロールフロー、（ｂ）をスリープ時間フロー、（ｃ）を時間計測フローと呼ぶことにする。
【００２０】
まず、図２（ａ）に示すスクロールフローは、前記したように電子機器Ｃ側におけるキー入力などの操作が一定時間なされない待ち受け状態において、システムＣＰＵ６からの指令信号によりスクロールモードに設定された時に起動される。なお、このスクロールフローが実行される当初においては、図１に示す前記アナログスイッチ４はオン状態、すなわちＳＲラッチ回路１１はセット状態になされている。
【００２１】
スクロールフローの起動により、ステップＳ１１に示すようにスクロールカウンタ１０における第１クロック信号（ＣＬＫ１）のカウント値はリセットされる。続いて、ステップＳ１２に示すようにスクロールカウンタ１０は、第１クロック信号（ＣＬＫ１）におけるクロック数のカウントを開始する。ステップＳ１３に示すようにスクロールカウンタ１０における第１クロック信号のカウントアップ値が、予め設定された値に達したか否かが監視され、ステップＳ１３において設定値に達した（Ｙｅｓ）と判定された場合には、ステップＳ１４に移る。
【００２２】
前記したステップＳ１１からステップＳ１３に達する期間においては、図１に示す画像生成部は、前記した時計部７からもたらされる時計データに基づいて、時刻を示す静止画情報のデータを生成する。そして、スクロールカウンタ１０からもたらされるカウントアップ出力を利用して、静止画情報をスクロール制御するように作用させる。
【００２３】
図３（ａ）にはその一例が示されており、前記ＥＬディスプレイ１において時刻を示す静止画情報がスクロール表示される様子が描かれている。すなわち図３（ａ）の右端には、２０時０８分を示す静止画情報が示され、これはスクロール動作が開始されて間もなくの状態を示している。そして、時刻を表示する前記静止画情報の頭は、スクロール制御によりディスプレイの右から左に向かって順次スクロールされる。そして、図３（ａ）における左から４番目の状態に至った時に、前記静止画情報は画面から消える状態（無表示状態）となる。
【００２４】
この状態が図２に示すステップＳ１３において設定値に達した（Ｙｅｓ）と判定される状態である。要するに、ステップＳ１３における「設定値」は、時刻を示す一つの静止画情報のスクロール動作が開始されてから終了するまで、すなわち静止画情報が画面から消える状態となるまでに要する時間を管理するものである。
【００２５】
図２に示すステップＳ１４においては、スリープカウンタ８における第２クロックのカウント値がリセットされる。これはすでに説明したように図１に示すスクロールカウンタ１０よりスリープカウンタ８に対してカウンタリセット信号が送られることによりなされる。これにより、ＳＲラッチ回路１１はリセット状態になされ、前記アナログスイッチ４がオフ状態となるスリープモードになされる（ステップＳ１５）。
【００２６】
前記したスリープモードになされた場合には、クロック発生部３からの第１クロック信号（ＣＬＫ１）の供給が停止され、これに伴い第１クロック信号に基づいて動作するドライバ部２およびスクロールカウンタ１１の動作も停止する。特に前記したドライバ部２は、第２クロック信号（ＣＬＫ２）より高い周波数である第１クロック信号（ＣＬＫ１）によって動作するものであるため、このスリープモードの期間における前記ドライバ部２の動作の停止は、消費電力を低減させるのに大きく貢献する。
【００２７】
なお、前記したスリープモードにおいては、静止画情報のスクロール表示は一時的に休止される無表示期間になされ、この間においては前記したドライバ部２の駆動も停止される。しかしながら、ＥＬディスプレイ１はノーマリブラックの表示特性を有しており、したがってＥＬディスプレイ１の表示に影響を与えることはない。
【００２８】
ここで、図２におけるステップＳ１４に示すように、スリープカウンタ８における第２クロックのカウント値がリセットされた場合には、（ｂ）として示すスリープ時間フローが起動する。このスリープ時間フローは、前記したスリープモードの継続時間（無表示期間）を管理するものである。すなわち、スリープモードに移行した場合にはステップＳ２１に示すようにスリープカウンタ８は、第２クロック信号のカウントを開始する。
【００２９】
そして、ステップＳ２２に示すようにスリープカウンタ８における第２クロック信号のカウントアップ値が、予め設定された値に達したか否かが監視され、ステップＳ２２において設定値に達した（Ｙｅｓ）と判定された場合にはステップＳ２３に移る。このステップＳ２３においてはスリープ時間フラグを“１”にし、続くステップＳ２４においてスリープ時間フラグを“０”にする動作が実行される。すなわち、ここでは１つのトリガパルスを発生させるものであり、このトリガパルスはスリープカウンタ８から出力されるフラグ８ａを意味するものである。
【００３０】
図２における（ａ）として示すスクロールフローに戻り、ステップＳ１５に示すスリープモードに移行した場合には、ステップＳ１６に示すようにスリープ時間フラグとして“１”が立つか否かが監視されている。そして、スリープ時間フロー（ｂ）において、ステップＳ２３に至った場合、すなわちスリープ時間フラグとして“１”が立ったことが検証されるとステップＳ１７に移る。
【００３１】
このステップＳ１７においては、すでに説明したとおりスリープカウンタ８からのフラグが“１”であり、これは画像生成部５に対して書き換え信号として供給される。そして、この時に時計部７から供給される時計データに基づく時刻を示す静止画情報の書き換えが実行される。すなわち、静止画情報における時刻表示の書き換えは、スリープモードの最後において実行される。
【００３２】
ここで、図２（ｃ）は前記したとおり時間計測フローを示すものであり、これは現在時刻を求める機能を果たすものである。すなわち、この時間計測フローは、第２クロック信号（ＣＬＫ２）を利用した前記時計部７において独立して動作するものである。まず、ステップＳ３１に示すように、時計部７に内臓された図示せぬ時刻カウンタに蓄積された第２クロック信号のカウント数がリセットされる。
【００３３】
この次に、ステップＳ３２に示すように前記時刻カウンタは、第２クロック信号のカウントアップを開始する。そして、ステップＳ３３に示すように時刻カウンタにおける第２クロック信号のカウントアップ値が、予め設定された値に達したか否かが監視され、ステップＳ３３において設定値に達した（Ｙｅｓ）と判定された場合には、ステップＳ３４に移る。このステップＳ３４においては、時刻を示す“Ｓ”の値をインクリメントし、再びステップＳ３１に戻る動作が繰り返される。
【００３４】
なお、前記した時刻を示す“Ｓ”が秒の単位を示すものであるとすれば、ステップＳ３３における「設定値」は、時計の経時に利用される水晶発振器による第２クロック信号（ＣＬＫ２）の周波数と同一の値に設定されることになる。
【００３５】
したがって、前記したステップＳ１７においては、時間計測フロー（ｃ）におけるステップＳ３４において求められる現在時刻“Ｓ”の値にしたがって静止画情報における時刻表示の書き換えがなされることになる。これと同時に図１に示すＳＲラッチ回路１１はセット状態になされ、スリープモード（無表示期間）が解除されて、第１クロック信号（ＣＬＫ１）の供給が開始される。また、図２に示すステップＳ１７からステップＳ１１にルーチンが戻ることで、スクロールカウンタ１０におけるカウント値がリセットされる動作が実行される。
【００３６】
斯くして、図１に示すシステムＣＰＵ６より、スクロールモードから通常の表示モードに移行させる解除信号が画像生成部５に到来しない限り、同様のスクロールモードが繰り返し実行されることになる。なお、図３（ａ）における右端に示す状況は、スリープモードから再びスクロールモードに、すなわち図２に示すステップＳ１１に移行した状態を示している。
【００３７】
以上の説明で明らかなように、前記した実施の形態によると、スクロールモードにおいて表示される時刻を示す静止画情報は、スリープモードすなわち無表示期間において書き換えられるようになされる。したがって、スクロール動作の途中において時刻表示の変更がなされることは禁止される。また、前記したスリープモードの設定により、第１クロック信号により動作する主にドライバ部２を休止させることができるので、ここにおいて消費される電力を大幅に削減させることに寄与できる。
【００３８】
なお、図３における（ｂ）および（ｃ）は、スクロールモードにおける静止画情報の他の表示パターンを示したものであり、（ｂ）に示す表示パターンは、単位スクロールごとに静止画情報の表示位置を、ディスプレイ（表示パネル）における上下方向に変更するようにした例を示している。また、（ｃ）に示す表示パターンは、単位スクロールごとに静止画情報の表示位置を、ディスプレイにおける上から下方向に順次移動させるようにした例を示している。
【００３９】
前記した図３（ｂ）および（ｃ）に示すいずれの表示パターンにおいても、ディスプレイにおけるいわゆる焼き付き現象の発生を効果的に防止させることができる。
【００４０】
なお、前記した実施の形態においてはスクロールモードにおいて、時刻を表示するようにしているが、例えば図４に示すように他の情報をスクロール表示するように構成することも考えられる。図４に示す例は、電子メールの着信があることを示すマークであり、この画像データは図１に示す電子機器（Ｃ）におけるシステムＣＰＵ６より、画像生成部５に供給されることにより表示される。そして、前記着信マークがスクロール表示され、無表示期間になった時に、静止画情報の書き換え動作が実行される。ただしこの図４に示す例においては、書き換え動作が実行されても着信マークの表示形態は変わるところはなく、同じ情報に書き換えられることになる。
【００４１】
また、以上説明した実施の形態においては、ディスプレイ（表示パネル）に有機ＥＬ素子を発光素子として用いた例を示しているが、これは、液晶表示装置（ＬＣＤ）あるいは電解放出型表示装置（ＦＥＤ）などのディスプレイを用いることもできる。
【図面の簡単な説明】
【００４２】
【図１】この発明にかかる実施の形態を示したブロック図である。
【図２】図１に示す実施の形態においてなされる作用を説明するフローチャートである。
【図３】図１に示す実施の形態において採用し得るスクロール動作の形態を示す模式図である。
【図４】同じく他のスクロール動作の形態を示す模式図である。
【符号の説明】
【００４３】
Ａ      ディスプレイモジュール
Ｂ      表示制御部
Ｃ      電子機器
１      有機ＥＬディスプレイ（表示パネル）
２      ドライバ部
３      第１クロック信号発生部
４      アナログスイッチ
５      画像生成部
６      システムＣＰＵ
７      時計部
８      スリープカウンタ
９      第２クロック信号発生部
１０    スクロールカウンタ
１１    ＳＲラッチ回路
【図１】
2006030566.tif 000003
【図２】
2006030566.tif 000004
【図３】
2006030566.tif 000005
【図４】
2006030566.tif 000006